(57)【要約】【課題】風力タービン発電機（１００）を提供する。【解決手段】本風力タービン発電機（１００）は、支持面（１０４）から延びかつ頂部（１１６）、底部（１１８）及び該底部から頂部まで延びる通路（１２０）を含むタワー（１０２）と、タワー頂部に回動可能に結合されてタワーに対して回動運動するようになったナセル（１０６）と、該ナセルに結合されかつそれに結合された複数のロータブレード（１１２）を含むロータ（１０８）と、通路を貫通して延びかつナセルと結合された１つの端部を含む少なくとも１つのケーブル（１４２）と、通路内に結合されて少なくとも１つのケーブルを磨耗から遮蔽するようになっておりかつ少なくとも１つの弾性パッド（１５２、１６２）を含むケーブルガード（１５０）とを含む。【選択図】      図２
2009191849.tif 000002
【特許請求の範囲】
【請求項１】
支持面（１０４）から延びかつ頂部（１１６）、底部（１１８）及び前記底部から前記頂部まで延びる通路（１２０）を含むタワー（１０２）と、
前記タワー頂部に回動可能に結合されて前記タワーに対して回動運動するようになったナセル（１０６）と、
前記ナセルに結合されかつそれに結合された複数のロータブレード（１１２）を含むロータ（１０８）と、
前記通路を貫通して延びかつ前記ナセルと結合された１つの端部を含む少なくとも１つのケーブル（１４２）と、
前記通路内に結合されて前記少なくとも１つのケーブルを磨耗から遮蔽するようになっておりかつ少なくとも１つの弾性パッド（１５２、１６２）を含むケーブルガード（１５０）と、
を含む風力タービン発電機（１００）。
【請求項２】
前記タワー（１０２）が、前記通路（１２０）の少なくとも一部分を貫通して延びるはしご（１２２）をさらに含み、
前記ケーブルガード（１５０）が、前記少なくとも１つのケーブル（１４２）を前記はしごとの接触から遮蔽するのを可能にするように配向される、
請求項１記載の風力タービン発電機（１００）。
【請求項３】
前記ケーブルガード（１５０）が、該ケーブルガードを前記はしご（１２２）に結合するようになったブラケット（１７４）をさらに含む、請求項２記載の風力タービン発電機（１００）。
【請求項４】
前記ブラケット（１７４）が、前記ケーブルガード（１５０）を前記はしご（１２２）から一定距離に維持する、請求項３記載の風力タービン発電機（１００）。
【請求項５】
前記ブラケット（１７４）を前記はしご（１２２）に固定して前記少なくとも１つのケーブル（１４２）との間に前記ケーブルガード（１５０）が配置されるようになった少なくとも１つのファスナ（１５６、１８２、１８３）をさらに含む、請求項３記載の風力タービン発電機（１００）。
【請求項６】
前記ケーブルガード（１５０）が、前記少なくとも１つの弾性パッド（１６２）を支持するようになったスリーブ（１６４）をさらに含む、請求項１乃至５のいずれか１項に記載の風力タービン発電機（１００）。
【請求項７】
前記スリーブ（１６４）が、互いに結合された少なくとも２つのセグメントを含む、請求項６記載の風力タービン発電機（１００）。
【請求項８】
前記スリーブ（１６４）が、ポリ塩化ビニルで製作される、請求項６記載の風力タービン発電機（１００）。
【請求項９】
前記少なくとも１つのパッド（１５２、１６２）が、約６０のデュロメータを有する、請求項１乃至８のいずれか１項に記載の風力タービン発電機（１００）。
【請求項１０】
その中に形成された通路及び前記通路内に配置されたはしごを有するタワー（１０２）含む風力タービン発電機（１００）内に取付けられるようになったケーブルガード（１５０）であって、
弾性パッド（１５２、１６２）と、
前記パッドを前記はしご（１２２）に結合するようになったブラケット（１７４）と、
前記ブラケットを前記はしごに結合するようになったファスナ（１５６、１８２、１８３）と、を含む、
ケーブルガード（１５０）。
【発明の詳細な説明】
【技術分野】
【０００１】
本発明の分野は、総括的にはケーブルを遮蔽するのに使用するケーブルガードに関し、より具体的には、風力タービン発電機内においてケーブルを損傷から保護するのに使用するケーブルガードに関する。
【背景技術】
【０００２】
風力タービン発電機は、風力エネルギーを使用して電気を発生する。一般的に、風力タービン発電機は、タワーと、タワーに取付けられたナセルと、ナセルに連結されたブレード付きロータとを含む。風は、ブレード及びロータをナセルに対して回転させて、それによって機械エネルギーを生成し、この機械エネルギーが、発電機によって使用可能な電気エネルギーに変換される。風向は頻繁に変化するので、ブレードが風に対して適正に整列してブレードに作用する風力エネルギーの量を最大にすることができるように、ナセルは一般に、タワー上に回動可能に取付けられる。
【０００３】
多くの場合に、発電機及び関連する装置は、ナセル内でタワーの頂部に隣接したプラットフォーム（例えば、ヨーデッキ）上に取付けられる。少なくとも幾つかの公知のタワーは、その中に形成されかつ地上からナセル内のプラットフォームまで延びる通路を含む。普通、通路内にはしごを設けて、メインテナンス及び補修のために発電機及び関連する装置に対するアクセスを可能にしている。通路はまた、経路配置されるケーブルのための空間も提供する。例えば、そのようなケーブルは、発電機から電力網に電気を伝送するために並びに／或いはナセル内に取付けられた発電機及び関連する装置に対して電源及び制御信号を供給するために使用することができる。プラットフォーム内に形成された開口は、ケーブルがタワー通路からナセル内に通るのを可能にする。
【０００４】
ナセルは、タワーに対して回動するから、発電機及び関連する装置も同様に回動する。その結果、発電機及び関連する装置に接続されたケーブルもまた、ナセルタワー内でそれらの長さの少なくとも一部分に沿って回動する。少なくとも幾つかのナセルの回動は、該ナセルと共に回動するケーブルを、プラットフォーム内に開口を形成した端縁部及び／又はタワー内のはしごに対して摩擦させるか又はその他の状態で接触させる可能性がある。時の経過と共に、継続的な摩擦により、ケーブルに対して磨耗、切断又はその他の損傷を引き起こすおそれがある。重大なケーブル損傷は、風力タービン発電機に対する損傷（例えば、装置の短絡、発火）、メインテナンス要員に対する負傷（例えば、電撃）、及び／又はケーブル補修又は交換のための多大な運転停止時間を招くおそれがある。
【発明の概要】
【課題を解決するための手段】
【０００５】
１つの態様では、風力タービン発電機は一般的に、支持面から延びるタワーを含む。タワーは、頂部、底部、及び該底部から頂部まで延びる通路を含む。ナセルが、タワーに対して回動運動するようにタワー頂部に回動可能に結合され、ロータが、ナセルに結合される。ロータは、該ロータに結合された複数のロータブレードを含む。少なくとも１つのケーブルが、通路を貫通して延び、かつナセルに結合された１つの端部を含む。ケーブルガードが、少なくとも１つのケーブルを磨耗から遮蔽するために通路内に結合される。ケーブルガードは、少なくとも１つの弾性パッドを含む。
【０００６】
別の態様では、ケーブルガードが、その中に形成された通路及び該通路内に配置されたはしごを有するタワーを含む風力タービン発電機内に取付けられるようになっている。本ケーブルガードは一般的に、弾性パッドと、該パッドをはしごに結合するようになったブラケットと、該ブラケットをはしごに結合するようになったファスナとを含む。
【０００７】
さらに別の態様では、風力タービン発電機内においてケーブルを保護する方法は一般的に、支持面から延びるタワーを含む発電機を設けるステップを含む。タワーは、頂部、底部、及び該底部から頂部まで延びる通路を含む。ナセルが、タワーに対して回動運動するようにタワー頂部に回動可能に結合される。ロータが、ナセルに結合され、また複数のロータブレードが、ロータに結合される、少なくとも１つのケーブルが、通路を貫通してナセルまで延び、またはしごが、通路の少なくとも一部分を貫通して延びる。弾性パッドを有するケーブルガードが、少なくとも１つのケーブルを磨耗から保護するのを可能にするようにタワー内に取付けられる。
【図面の簡単な説明】
【０００８】
【図１】風力タービン発電機の斜視図。
【図２】その一部分を破断除去して内部構成要素を示した状態の、図１の風力タービン発電機の拡大部分斜視図。
【図３】風力タービン発電機内に結合されて、該風力タービン発電機を通して経路配置されたケーブルの保護を可能にした第１のケーブルガードの斜視図。
【図４】風力タービン発電機内のはしごに結合されている第１のケーブルガードを示す拡大部分斜視図。
【図５】風力タービン発電機内に結合されて、該風力タービン発電機を通して経路配置されたケーブルの保護を可能にするようになった第２のケーブルガードの斜視図。
【図６】風力タービン発電機内のはしごに結合されている第２のケーブルガードの斜視図。
【発明を実施するための形態】
【０００９】
図１及び図２は、例示的な水平軸式風力タービン発電機１００を示しており、風力タービン発電機１００は、支持面１０４から延びるタワー１０２と、タワー１０２上に取付けられたナセル１０６と、ナセル１０６に結合されたロータ１０８とを有する。ロータ１０８は、該ロータ上に取付けられた複数のロータブレード１１２を含む。この例示的な実施形態では、ロータ１０８は、３つのロータブレード１１２を有しているが、ロータ１０８は、３つよりも多い又は少ないロータブレード１１２を含むことができることを理解されたい。この例示的な実施形態では管状であるタワー１０２は、側壁１１４、頂部１１６、底部１１８、及び該底部１１８から頂部１１６まで延びる通路１２０を含む。従って、タワー１０２内の通路１２０は、支持面１０４とナセル１０６との間で延びる。はしご１２２が、通路１２０内でタワー１０２に結合されて、ナセル１０６へのアクセスを可能にする。本発明の技術的範囲から逸脱することなくその他のタイプの風力タービン発電機（例えば、垂直軸式風力タービン発電機）も使用することができることを意図している。
【００１０】
ロータブレード１１２は、ロータ１０８の周りに間隔を置いて配置されて、ロータ１０８を回転させて、風による運動エネルギーを使用可能な機械エネルギーに、また次に電気エネルギーに変換するのを可能にする。より具体的には、風がブレード１１２に衝突すると、ロータ１０８は、その回転軸線１２４の周りで回転する。ブレード１１２は、該ブレードが風に面するように配置されるのが好ましい。風向きは変化し易いので、ブレード１１２、従ってナセル１０６は、タワー１０２に対して回動することができてブレードが風にほぼ面し続けることができるようにすることが必要である。つまり、ナセル１０６を回動させることによって、ブレードは、風向きがロータ回転軸線１２４とほぼ平行になってブレードに衝突する風の量が最大になるようにして回転させることができる。従って、ナセル１０６及びブレード１１２は、ロータ回転軸線１２４とほぼ交差しかつタワー１０２の長手方向軸線とほぼ同軸である回動軸線１２６の周りでタワー１０２に対して回動することができる。
【００１１】
図２は、ナセル１０６内に収容された構成要素の幾つかを示している。この例示的な実施形態では、そのような構成要素には、ロータブレード１１２に結合された低速シャフト１３４、ギヤボックス１３６、高速シャフト１３８及び発電機１３２が含まれる。ロータブレード１１２の回転により、低速シャフト１３４がギヤボックス１３６を回転可能に駆動し、ギヤボックス１３６は次に、高速シャフト１３８を回転させる。高速シャフト１３８は、発電機１３２を回転可能に駆動し、発電機１３２が電力を生成する。このように、ナセル１０６は、風力タービン発電機１００の発電機１３２及び関連する構成要素を収容する。ナセル１０６は、その上に発電機１３２及びその他の構成要素（例えば、低速シャフト１３４、ギヤボックス１３６、高速シャフト１３８）が取付けられたプラットフォーム１４０を含む。発電機１３２及び関連する構成要素は、本発明の技術的範囲から逸脱することなく、本明細書に示すものとは異なるものとすることができることを理解されたい。
【００１２】
発生電気を発電機１３２から電力網に送電しまたナセル１０６内に取付けられた発電機及び関連する装置に電源及び制御信号を供給するために、複数のケーブル１４２がナセル１０６内の発電機１３２及びその他の構成要素に結合される。ナセル１０６のプラットフォーム１４０内には開口１４４を形成して、ケーブル１４２がナセル１０６からタワー１０２の通路１２０内に経路配置されるのを可能にする。タワー１０２内の通路１２０は、ナセル１０６から経路配置される、また風力タービン発電機１００の外部の位置からナセル１０６内に経路配置されるケーブル１４２のための空間を提供する。
【００１３】
ナセル１０６は、タワー１０２に対して回動するので、ナセル１０６に収容された発電機１３２及び関連する装置も、同様に回動する。その結果、発電機１３２及び関連する装置に結合されたケーブル１４２もまた、それらの長さの少なくとも一部分に沿ってタワー通路１２０内で回動する。ケーブル１４２の長さに沿ってドリップループ（図示せず）を設けて、それを通してケーブル１４２が回動することができる回動可能連結部を形成する。その結果、ナセル１０６が回動する時に、ドリップループより上方の各ケーブルの一部分は回動するが、ドリップループより下方の部分は回動しない。各ケーブルの非回動部分は、タワー１０２の通路１２０内に配置された従来型のケーブルトレイ（図示せず）を通して経路配置される。
【００１４】
ナセル１０６の回動の間にタワー１０２の通路１２０内にあるはしご１２２（及び／又はタワー１０２内にあるその他の構成要素）とケーブル１４２が接触することよって引き起こされる該ケーブル１４２の損傷を防止するのを可能にするために、ケーブル１４２が潜在的接触損傷を受ける可能性がある位置において又はその近傍において、第１のケーブルガード１５０がタワー１０２内に結合される。この例示的な実施形態では、１つのケーブルガード１５０は、タワー１０２内に取付けられた弾性パッド１５２を含み、ケーブル１４２がナセル１０６と共に回動した時に、ケーブル１４２は、タワー１０２内に結合されてケーブル損傷を引き起こす可能性があるはしご１２２又はその他の構成要素ではなくてパッド１５２に接触するようになる。この例示的な実施形態では、パッド１５２は、単体構造になっており、かつ横方向端縁部とこれら横方向端縁部を相互連結する縦方向端縁部とを備えたほぼ矩形状である。しかしながら、パッド１５２は、多数の部片から製作することができ、また／又は非矩形状に製作することができることも理解されたい。１つの実施形態では、パッド１５２は、約６０のデュロメータを有する。それに代えて、パッド１５２は、６０以外のデュロメータを有するように製作することもできる。
【００１５】
この例示的な実施形態では、パッド１５２は、はしご１２２のそれぞれ右及び左側部１１２Ｒ、１２２Ｌに取付けられる。はしごの縦方向縁部の各々に隣接したパッド１５２の一部分は、該はしご１２２のそれぞれの側部１２２Ｒ、１２２Ｌと対面係合状態で配置される。金属材料又はその他の適当な材料で製作したフラットバー１５４（広義には「ブラケット」としても知られている）が、パッド１５２の各部分がはしご１２２と該フラットバー１５４との間に「挟持される」ように、該パッド１５２上で延びる。パッド１５２とフラットバー１５４をはしご１２２に固定するために、ファスナが使用される。この例示的な実施形態では、ナット及びボルトのような複数のファスナ１５６が、パッド１５２及び２つのフラットバー１５４をはしご１２２に固定するために使用されているが、その他のタイプの公知のファスナも使用することができることを理解されたい。
【００１６】
第１のケーブルガード１５０は、はしご１２２並びにパッド１５２を該はしご１２２に固定するために使用されたファスナ１５６に対してケーブル１４２が接触するのを実質的に防止する防壁を形成する。より具体的には、この例示的な実施形態では、パッド１５２は、２つの小さな弓形部分１５２Ａと、これらの小さな弓形部分１５２Ａ間で延びる１つの大きな弓形部分１５２Ｂとを含む。パッド１５２の小さな弓形部分１５２Ａは、はしご１２２の両側部１２２Ｌ、１２２Ｒ及びパッド１５２を該はしご１２２に取付けるために使用したファスナ１５６と回動ケーブル１４２が接触しないように遮蔽するのを可能にする。大きな弓形部分は、回動ケーブル１４２がはしご１２２の横桟と接触しないように遮蔽するのを可能にする。さらに、ケーブル１４２による接触を受けるパッド１５２の弓形部分１５２Ａ、１５２Ｂは、はしご１２２から間隔を置いて配置されて、ケーブルがパッド１５２の小さな弓形部分１５２Ａ又は大きな弓形部分１５２Ｂのいずれかと接触した時に、パッド１５２が、はしご１２２の如何なる部分とも接触することなく内側に撓むのに十分な間隙を有する。さらに、パッド１５２は、十分な弾性を有しており、従ってケーブル１４２が接触した場合に、該パッド１５２がほぼその元の（つまり、接触前の）位置に戻ることになる。
【００１７】
１つの好適な実施例では、パッド１５２は、約３６インチ（９１４．４ｍｍ）の幅と約５４インチ（１３７１．６ｍｍ）の長さを有する厚さ３／１６インチ（４．８ｍｍ）のネオプレンマットを含む。本明細書に記載した寸法及び材料は、単なる例示であって、パッド１５２は、本発明の技術的範囲から逸脱することなく、その他の材料で、またその他の長さ、幅、厚さ及び形状を有するように製作することができることを理解されたい。
【００１８】
第１のケーブルガード１５０は、タワー１０２の建設時に該タワー内に結合することができ、或いは既存のタワーに改装取付けすることができる。いずれの実施形態でも、取付け作業員に対してキットを提供して、第１のケーブルガード１５０の取付けを可能にすることができる。そのようなキットには、パッド１５２、フラットバー１５４、ファスナ１５６及び取付け説明書を含むことができる。
【００１９】
ナセル１０６の回動の間にケーブル１４２がナセル開口１４４の端縁部に摩擦することによって生じるケーブル１４２の損傷を防止するのを可能にするために、タワー１０２内に第２のケーブルガード１６０を取付けてケーブル１４２を捕捉し、それによってケーブル１４２の半径方向移動を制限することができる。第２のケーブルガード１６０は、弾性パッド１６２と、長さＬ１、内表面１６６及び外表面１６８を有する管状スリーブ１６４とを含む。さらに、この例示的な実施形態では、パッド１６２は、管状スリーブ１６４の内表面１６６に結合される。この例示的な実施形態では、第２のケーブルガード１６０内のパッド１６２は、第１のケーブルガード１５０で使用するパッド１５２と実質的に同一である。
【００２０】
ケーブル１４２はスリーブ１６４を貫通して受けられて、ケーブル１４２は、パッド１６２に接触するようになる。パッド１６２は、スリーブ１６４よりも大きい長さＬ２を有して、該パッド１６２の一部分が、スリーブ１６４の上方及び下方に延びるようになる。その結果、スリーブ１６４の上端縁部１７０及び下端縁部１７２は、スリーブ１６４から外向きに延びるパッド１６２の部分によって覆われる。このことは、ケーブル１４２がスリーブ１６４の端縁部１７０、１７２と接触するのを実質的に防止する。この例示的な実施形態では、スリーブ１６４は、ポリ塩化ビニル（ＰＶＣ）導管から製作され、かつ約１２インチ（３０５ｍｍ）の直径Ｄ１及び約２０インチ（５０８ｍｍ）の長さＬ１を有する。この例示的なパッド１６２の長さＬ２は、約２４インチ（６１０ｍｍ）である。しかしながら、スリーブ１６４は、あらゆるその他の適当な材料で、またパッド１６２が本明細書に説明したように機能するのを可能にするあらゆる寸法を有するように製作することができることを理解されたい。パッド１６２はまた、あらゆる適当な寸法を有するように製作することができる。
【００２１】
１つの実施形態では、スリーブ１６４及び該スリーブ１６４に結合されたパッド１６２は各々、２つのセグメント１６４Ａ、１６４Ｂ及び１６２Ａ、１６２Ｂに分割されており、これらのセグメント１６４Ａ、１６４Ｂ及び１６２Ａ、１６２Ｂは、第２のケーブルガード１６０を用いて風力タービン発電機を改装する時に、互いに組合されてケーブル１４２を捕捉することができるようになる。その結果、セグメント１６４Ａ、１６４Ｂ及び１６２Ａ、１６２Ｂは、ケーブル１４２がスリーブ１６４を貫通して延びている状態（図５）で互いに結合させる（例えば、ファスナ１８３を使用して）ことができる。それに代えて、スリーブ１６４及び／又は弾性パッド１６２は、２つよりも多くのセグメントに分割することもできる。スリーブ１６４及び弾性パッド１６２は、新設される風力タービン発電機内で使用するために、単体構造体（つまり、１つのセグメント）として形成することができることも意図している。
【００２２】
第２のケーブルガード１６０はまた、スリーブ１６４及び弾性パッド１６２をタワー１０２に取付けるようになったブラケット１７４を含む。この例示的な実施形態では、ブラケット１７４は、弾性パッド１６２を有するスリーブ１６４をはしご１２２に取付けているが、ブラケット１７４は、タワー１０２内のその他の構成要素又はタワー１０２自体に結合することができることを理解されたい。ブラケット１７４は、その各々がスリーブ１６４のセグメント１６４Ａ、１６４Ｂの一方に結合された（例えば、ボルト止めされた）右側部１７４Ｒ及び左側部１７４Ｌを含む。各ブラケット１７４の各側部１７４Ｒ、１７４Ｌは、スリーブのセグメント１６４Ａ、１６４Ｂの一方に接触するようになった弓形接触部分１７６と、ブラケット１７４をはしご１２２に取付けるようになった取付け部分１７８と、取付け部分１７８及び弓形接触部分１７６間で延びるフレーム部分１８０とを含む。取付け部分１７８は、それに限定されないがナット及びボルトのようなファスナ１８２を受けてブラケット１７４のそれぞれの側部１７４Ｒ、１７４Ｌをはしご１２２に固定するようになっている。
【００２３】
第２のケーブルガード１６０は、タワー１０２建設時に該タワー内に取付けることができ、或いは既存のタワーに改装取付けすることができる。いずれの場合にも、取付け作業員に対してキットを提供して、第２のケーブルガード１６０を取付けるようにすることができる。キットには、スリーブ１６４、パッド１６２、ブラケット１７４の右及び左側部１７４Ｒ、１７４、ファスナ１８２並びに取付け説明書が含まれる。
【００２４】
この例示的な実施形態では、使用時に、第１及び／又は第２のケーブルガード１５０、１６０は、ケーブル１４２の検査時にケーブル磨耗が観察される可能性がある既存の風力タービン発電機内に取付けることができる。検査工程時に、ケーブル１４２は、損傷又は磨耗の徴候を検出するように検査される。ケーブル１４２の回動可能長さ全体が検査されるのが好ましいが、プラットフォーム１４０内の開口１４４付近及びはしご１２２と接触する可能性がある空間内にあるケーブル１４２の部分に特別な注意が払われる。磨耗が観察された場合には、第１及び／又は第２のケーブルガード１５０、１６０が、それぞれのブラケット（つまり、フラットバー１５４及びブラケット１７４）並びに適当なファスナ１５６、１８２（例えば、ナット及びボルト）を使用して、はしご１２２に結合することができる。具体的には、１つ又は複数のガード１５０、１６０が所定の位置に結合されたら、ガードの弾性パッド１５２、１６２が、ケーブル１４２を更なる磨耗から保護する。第１及び／又は第２のケーブルガード１５０、１６０は、ケーブル磨耗が観察されない既存の風力タービン発電機内に取付けて、磨耗の発生を防止するのを可能にすることができることも理解されたい。それに代えて、第１及び／又は第２のケーブルガード１５０、１６０は、風力タービン発電機が建設されている間に、該風力タービン発電機内に取付けることができる。
【００２５】
本明細書に記載したようなケーブルガード１５０、１６０は、ケーブル１４２を遮蔽するのを可能にする。より具体的には、上記のようなケーブルガード１５０、１６０は、ナセル１０６の回動の間にケーブル１４２が物体に衝突することによって生じるケーブル損傷を防止するのを可能にする。
【００２６】
以上、風力タービンに関連するケーブルガードの例示的な実施形態について詳細に説明している。本方法、装置及びシステムは、本明細書に記載した特定の実施形態にも、また図示した特定のケーブルガードにも限定されるものではない。
【００２７】
様々な特定の実施形態に関して本発明を説明してきたが、本発明が特許請求の範囲の技術思想及び技術的範囲内の変更で実施することができることは、当業者には解るであろう。
【符号の説明】
【００２８】
１００  風力タービン発電機
１０２  タワー
１０４  支持面
１０６  ナセル
１０８  ロータ
１１２  ロータブレード
１１４  タワーの側壁
１１６  タワーの頂部
１１８  タワーの底部
１２０  タワーの通路
１２２  はしご
１２２Ｌ  はしご左側部
１２２Ｒ  はしご右側部
１２４  ロータ回転軸線
１２６  ナセルの回動軸線
１３２  発電機
１３４  低速シャフト
１３６  ギヤボックス
１３８  高速シャフト
１４０  プラットフォーム
１４２  ケーブル
１４４  プラットフォーム内の開口
１５０  第１のケーブルガード
１５２  弾性パッド
１５２Ａ  弾性パッドの小さな弓形部分
１５２Ｂ  弾性パッドの大きな弓形部分
１５４  フラットバー
１５６  ファスナ
１６０  第２のケーブルガード
１６２  弾性パッド
１６２Ａ、１６２Ｂ  弾性パッドのセグメント
１６４  管状スリーブ
１６４Ａ、１６４Ｂ  管状スリーブのセグメント
１６６  管状スリーブの内表面
１６８  管状スリーブの外表面
Ｌ１  管状スリーブの長さ
Ｌ２  パッドの長さ
Ｄ１  パッドの直径
１７０  管状スリーブの上端縁部
１７２  管状スリーブの下端縁部
１７４  ブラケット
１７４Ｌ  ブラケットの左側部
１７４Ｒ  ブラケットの右側部
１７６  ブラケット側部の弓形接触部分
１７８  ブラケット側部の取付け部分
１８０  ブラケット側部のフレーム部分
１８２  ファスナ
１８３  ファスナ
【図１】
2009191849.tif 000003
【図２】
2009191849.tif 000004
【図３】
2009191849.tif 000005
【図４】
2009191849.tif 000006
【図５】
2009191849.tif 000007
【図６】
2009191849.tif 000008